(57)【特許請求の範囲】
【請求項１】
細長い舟形状のフランジ部に対し、その一方側に、パウチ本体の内側に取付けられる接着基部を、また他方側に、パウチ取付け時にパウチの外側にある注出口筒部を設けてなる注出口本体を合成樹脂で一体に成形する注出口において、前記細長の舟形状のフランジ部の下方に設けた前記接着基部は、パウチの２辺間にあって２辺が接着し易くして液体密封性が保てるようにした底面視においてシャトル形状であり、更に、該シャトル形状の接着基部の下方に、間隔をあけて垂下させた４ケ所の延長板を設け、更にまた、該４ケ所の延長板の下端部に、それぞれを対面する延長板に向い、かつ、断面十字状の板状物からなる十字リブを連架させ、かつ、該連架させた十字リブは、パウチの底部方向に延長したことを特徴とするパウチ用足付注出口。
【請求項２】
細長の舟形状のフランジ部は、その長さ方向の両側辺面が平行なガイド面をなすとともに、長さ方向の端部に注出口筒部側に向かう突出部を、フランジ部の基部の肉厚部と同じ高さに形成することを特徴とする請求項１記載のパウチ用足付注出口。
【請求項３】
注出口筒部は、細長い舟形状のフランジ部側が大径に、中央のリング部より先を小径にして、この小径部に蓋用の螺条を形成し、注出口筒部に蓋を螺着可能にした請求項１乃至請求項２に記載のパウチ用足付注出口。
【請求項４】
注出口筒部の螺条に螺着する蓋は、合成樹脂にて射出成形されたもので、注出口本体よりわずかに剛性、または注出口本体よりわずかに柔軟にして、かつ外面には螺着脱の際に摘まみ易いように条溝を形成した請求項１乃至請求項３に記載のパウチ用足付注出口。
【発明の詳細な説明】
【０００１】
【発明の属する技術分野】
本発明は、液体を収納するパウチの辺縁部の２辺間に挟着される蓋付き注出口に関するものである。
【０００２】
【従来の技術】
これまで知られているバッグインボックスには、内部のパウチに注出口が取付けられているが、この注出口は、注出口筒をパウチに設けられた透孔より外方に突出させるとともに、注出口筒の下端部に形成したフランジ部を孔縁の内面に当接し、これを接着剤、熱、超音波等でパウチの内面に接着していた。
また、従来技術による種々のパウチ、例えば、平袋、自立袋（スタンド型）、ガセットパウチなどに、ジュース等を収納し、前記パウチの辺縁部に吸引口を有する注出口を装着してなる注出口付きパウチは、前記注出口がパウチの辺縁に装着されているが、パウチの内部に達する延長部が存在しないために、使用者が内容物を吸引する際、パウチが閉塞して吸引ができなくなる場合があった。
上記のバッグインボックスのようなパウチ等に取付けた注出口筒の下部に設けたフランジ部をもって、パウチの内面の孔縁に接着するものであるから、パウチ等の辺縁部に取付けることについては何も配慮されていなかった。
【０００３】
【発明が解決しようとする課題】
パウチ等の特に辺縁部に取付けることができる注出口で、注出口本体を射出成形する際の変形の防止と、パウチ等の辺縁部に対する確実な挟着による液体密封性（以下、液密と記載する）とを得ることおよび内容物の吸引の際に前記パウチにおいて閉塞状態を引き起こさないパウチ用注出口の構造に関する技術を提供する。
【０００４】
【課題を解決する手段】
本発明は、前記課題を解決して、パウチ用足付注出口をパウチ等の特に辺縁部に取付けることができるようにしたもので、細長い舟形状のフランジ部に対し、その一方側に、パウチ本体の内側に取付けられる接着基部を、また他方側に、パウチ取付け時にパウチの外側にある注出口筒部を設けてなる注出口本体を合成樹脂で一体に成形する注出口において、前記細長の舟形状のフランジ部の下方に設けた前記接着基部はパウチの２辺間にあって２辺が接着し易くして液体密封性が保てるようにした底面視においてシャトル形状であり、該シャトル形状の接着基部の下方に垂下させた４ケ所の延長板を設け、該延長板のそれぞれを対面する延長板に向かうリブにより十字状に連架させ、該連架させた十字リブをパウチの底部方向に延長したことを特徴とするパウチ用足付注出口において、前記細長の舟形状のフランジ部は、その長さ方向の両側辺面が平行なガイド面をなすとともに、長さ方向の端部に注出口筒部側に向かう突出部を、フランジ部の基部の肉厚部と同じ高さに形成し、また、前記注出口筒部は、細長い舟形状のフランジ部側が大径に、中央のリング部より先を小径にして、この小径部に蓋用の螺条を形成し、注出口筒部に螺着可能にして、該蓋は合成樹脂にて射出成形されたもので、注出口本体よりわずかに剛性、または注出口本体よりわずかに柔軟にして、かつ外面には螺着脱の際に摘まみ易いように条溝を形成する。
【０００５】
【発明の実施の形態】
図１は、本発明によるパウチ用足付注出口の実施例の斜視図、図２は、図１の正面図（２−１）、底面視の図（２−２）、図３は、本発明の足付注出口をパウチに装着した状態の正面図（３−１）、（３−１）図のＸ−Ｘの断面図（３−２）である。  本発明は、ジュース等を収納し、使用者が注出口に口をつけて内容物を吸引することが可能なタイプのスタンド型、ガセット型等のパウチＣ、又平パウチＣ等の辺縁部、隅角部をカットした部分に対し、２辺間に挟着される蓋付き注出口であり、注出口本体Ａの接着基部ｂの下方に垂下させた４ケ所の延長板５を設け、該延長板５のそれぞれに対面する延長板５に向かうリブ９により十字状に連架させ、該連架させた十字リブ（以下、延長十字リブ８という）を、前記パウチＣに内容物を収納した状態のパウチＣ底部近傍まで延長させたパウチ用足付注出口である。
前記延長十字リブ８を具備した注出口本体Ａは前記蓋体Ｂとは別体で、ポリエチレン、ポリプロピレン等の樹脂により射出成形されるものである。
注出口本体、前記パウチＣへの装着性に適した形状を有し、特に接着基部ｂより先に設けた延長十字リブ８の存在により、使用者が内容物を吸引するときに、パウチＣが閉塞しないため、最後まで吸引できて極めて飲み易いという効果を呈するものである。
【０００６】
本発明のパウチ用足付注出口を装着するパウチＣの材質および形状は、内容物の種類、容量等により設計される。本発明のパウチ用足付注出口を適用するパウチＣは、使用者が注出口に口をつけて吸引するタイプで、収納する内容物の量としては、 100〜 500グラム、最もよく計画される内容量は 200〜 300グラムである。また、パウチＣの形状としては、前記スタンド型やガセット型が多用され、それらの材質は、紙、プラスチックフィルム、金属箔等の素材、また、これらの素材に物性下位理容の目的で他の素材を塗布したり蒸着等による加工を施し、または施されたものを用い、それぞれの単体あるいはこれらを積層した材料が用いられる。
【０００７】
そして、基本的なパウチＣの材質構成としては基材、内容物保護のためのバリヤー材、ヒートシール性を有する内面層から構成されることが多い。
基材としては、印刷適性、強度、耐熱性等を有する素材から選択され、各種薄紙、ポリプロピレン、ポリエステル、ポリアミド等の樹脂を製膜してなる好ましくは延伸されたフィルム、また、バリヤー材としては、アルミニウム等の金属箔や前記各種のフィルムに塩化ビニリデン等の防湿コートを施したもの、又は、バリヤー材として別のフィルムとせず、基材フィルムに直接に金属あるいは珪素やアルミニウム等の酸化物等を蒸着したフィルム等を用いてもよい。
また、ヒートシール材としては、内容物の味覚等に支障を及ぼすおそれがなく、パウチＣとしての必要強度を示す材質を選定する。ヒートシール材としては、たとえば、低密度ポリエチレン、直鎖状低密度ポリエチレン、メタロセン触媒を用いて重合したポリオレフィン、アイオノマー、エチレン−酢酸ビニル共重合体等を挙げることができる。
ただし、ヒートシール層を構成する材質は、パウチＣの組み立てのためのヒートシールであるとともに、注出口本体Ａの接着基部ｂの接着面４への熱接着可能な材質であることが必要であり、注出口本体Ａの材質選定の際に相互接着性を確認する必要がある。
【０００８】
本件発明は、前述のようにスタンド型、ガセット型等のパウチＣ等、又は平パウチＣ等の辺縁部１８、或いは隅角部をカットした部分に対し、２辺間に挟着される蓋付き注出口である。
本発明の注出口は注出口本体Ａと蓋体Ｂからなり、いずれも熱可塑性樹脂を射出成形することにより成形することができる。
注出口本体Ａは、細長の舟形状のフランジ部ａと、接着基部ｂと注出口筒部ｃとから構成されている。
細長の舟形状のフランジ部ａは、平面視において舟形状をなすもので、両側辺面１は、これをパウチＣ等の接着部に搬送する際にガイド面をなし、長さ方向の端部には、上方に向かう突出部２が形成されている。
【０００９】
接着基部ｂは、パウチＣ等の内側にあっては辺縁部１８に対し、２辺間に挟着されるところであり、図２（２−２）に示すように底面視において、シャトル形状をなすもので、注出口筒部ｃの下方への接着基部ｂの両側の接着面４が形成されており、この接着面４はそれぞれの両端部が細長の舟形状のフランジ部ａの両端部において接着部６として一体化されている。
【００１０】
注出口筒部ｃは、パウチＣ等の外側にあって、フランジａ側の大径部１０と中間部のリング部１１と、これより先の小径部とより形成されるものであって、この小径部には、蓋体Ｂを螺着脱する螺条１３が設けられている。
大径部１０の基部は、細長の舟形状のフランジ部ａの肉厚部１４と一体化され、この肉厚部と細長の舟形状のフランジ部ａの端部に形成された突出部２との間には、両側辺面１に対し直角方向に溝１５が形成されており、突出部２の頂部と肉厚部１４の上面の高さとは同一であり、また大径部１０は角柱状をなしていてもよい。
【００１１】
接着基部ｂの下方に垂下させた４ケ所の延長板５からそれぞれの対面する延長板５に向かうリブにより相互に連架させ、該連架させたリブを下方に延長させることにより形成される延長十字リブ８は断面十字状をなし、その延長長さは、前記注出口を装着するパウチに内容物を充填したときに、前記延長十字リブ８の先端が前記パウチＣの底部に近接するものが望ましい。
前記十字リブの存在により、使用者が注出口に口をつけて内容物を吸引する際に、図３（３ー２）に示すように、リブ部においてパウチに空隙部を形成し、注出口の延長筒部に連通するので、吸引時におけるパウチの閉塞を防止することができる。
十字リブとすることにより、成形性がよく、該リブ部の検査においては目視により異物の検査がし易く、また、充填前の洗浄工程においても洗い易いなどの利点がある。
また、図１、図２に示すように延長十字リブの先端部１７の４片の角部は、円弧状として、リブの先端突起によりパウチＣの内面を損傷しないようにすることが望ましい。
前記延長十字リブ８は、舟形状のフランジ部ａの両側辺面に対して平行又は直角に形成されなくともよく、言い換えれば、接着基部ｂ内の円周のいかなる位置に設けた延長板５であっても、対面する延長板５同士を連架するリブと該リブを延長して延長十字リブを形成すれば内容物の吸引時のパウチの閉塞を防止することができる。
本発明の目的の一つである、前記パウチの閉塞を防止可能であれば、前記延長十字リブの４片のリブの幅はその延長の長さ方向において、一定の幅である必要はなく、例えば、その先端に向かって連続的に幅狭としたり階段状に幅狭くしてもよく、あるいは、一部切り欠きが形成されていてもよい。
また、延長リブの断面は前記のように十字（４枚リブ）であることが望ましく、３枚リブの形状ではリブ間の角度が開きすぎて閉塞防止効果に支障を来すおそれがあり、５枚以上の形状とすると、成形性が悪くなり、反面、閉塞防止効果は４枚リブと変わらない。
【００１２】
本発明の細長の舟形状のフランジ部ａの突出部２の頂部と肉厚部１４の上面とが同一であることにより、注出口本体Ａを搬送するとき、この面と大径部１０のリング部１１との間にシューターのガイド板を両側より大径部１０を挟むようにすることができるから、搬送が安定となる。
【００１３】
蓋体Ｂは注出口本体Ａの注出口筒部ｃの小径部に形成された螺条１３に螺着されるもので、その周面に摘まみ易いように条溝が形成されており、蓋体Ｂが螺着し終わったとき、その端部と、注出口筒部ｃの中間部のリング部１１との間にわずかの空隙が存在するようになっている。
このように、蓋体Ｂの端部と注出口筒部ｃの中間部のリング部１１により、蓋体Ｂを螺着脱するとき指を傷つけるおそれはない。
【００１４】
注出口本体ＡをパウチＣに取付けるには、注出口本体Ａの細長の舟形状のフランジ部ａにおける両側辺面１をガイドとして搬送し、停止した注出口本体Ａに対し、例えば下方よりパウチＣを送り、パウチＣの辺縁部１８の口開きした２辺より、細長の舟形状のフランジ部ａより下方に突設のシャトル形状の接着基部ｂを挿入するとともに、２辺をフランジ部ａの下面に当接させる。
【００１５】
注出口本体Ａと蓋体Ｂとは別体からなるもので、ポリエチレン、ポリプロピレン等にて射出成形されたものである。注出口本体Ａの成形材料としては、パウチＣの内面と熱接着可能な材質であり、また、蓋体Ｂを注出口本体Ａに螺着したとき、より緊密性を得ることができるものを選択することが望ましい。例えば、注出口本体Ａには、低密度ポリエチレンを用い、蓋体Ｂには、中密度または高密度のポリエチレンまたはポリプロピレン樹脂を用いることができる。
低密度ポリエチレンは、前記中、高密度ポリエチレンまたはポリプロピレンよりも剛性が低いため、前記螺着においては、前記の材質の組合わせのように、剛性の程度の差を利用することによって緊密な巻き締めが容易にできる。注出口本体Ａと蓋体Ｂとに用いる成形材料を前記の逆にしても前記と同様に緊密な巻き締めをすることができる。
【００１６】
パウチＣの周縁部１８の内面と注出口本体Ａの接着基部ｂの接着面４とを合わせ、加熱部材を、パウチＣの両外側より当接してシャトル形状の接着基部ｂにパウチを加熱接着する。
この接着は、前記熱接着の他に超音波による接着でも、接着剤による接着であってもよいが、実用上は、熱接着が好適に利用できる。
【００１７】
【発明の効果】
本発明のパウチ用足付注出口は、細長い舟形状のフランジ部ａの下面に、シャトル形状の接着基部ｂが形成されているから、このような構成の注出口本体Ａは、これをパウチＣ等に取付けるに当たり、シャトル形状の接着基部ｂをパウチの辺縁部１８の２辺間に挿入して両側より加熱部材で押圧加熱して容易に接着することができ、パウチＣ等の辺縁部１８に取付けるにもかかわらず、接着基部ｂとの間に容易に液体密封性を保つことができ、また、接着基部ｂの下方に設けた延長十字リブ８によって、パウチＣに装着された注出口の吸引口から内容物を吸引するときに、パウチＣが閉塞することがないため、内容物を最後まで吸引できるようになった。
【００１８】
注出口本体Ａは、合成樹脂による射出成形にもかかわらず、本発明によるシャトル形状の接着基部ｂとすることにより射出成形の際に変形することが少なく、このことが、このシャトル形状の接着基部ｂにパウチＣ等の辺縁部１８を接着するにあたり、前記液密の精度をさらに挙げることに寄与している。
【００１９】
細長の舟形状のフランジ部ａには、その両側に辺面があり、また両端に突出部２が形成されているから、注出口本体ＡをパウチＣ等に取付ける際の確実な搬送と安定した取付けができる。
【００２０】
また、蓋体Ｂと注出口本体Ａとの材質の剛性にわずかの差をつけることにより、注出口本体Ａに対する螺着がより以上緊密なものとなり、また、蓋体の外周面に条溝を設けることにより、使用時に蓋体を螺着脱の際に摘まみをし易くする。
【図面の簡単な説明】
【図１】本発明によるパウチ用足付注出口の実施例の斜視図
【図２】図１の正面図（２−１）、底面視の図（２−２）
【図３】本発明の足付注出口をパウチに装着した状態の正面図（３−１）、（３−１）図のＸ−Ｘの断面図（３−２）
【符号の説明】
Ａ  注出口本体
Ｂ  蓋体
Ｃ  パウチ
ａ  細長い舟形状のフランジ部
ｂ  接着基部
ｃ  注出口筒部
１  両側辺面
２  突出部
４  接着面
５  延長板
６  接着部
８  延長十字リブ
１０  大径部
１１  リング部
１２  小径部
１３  螺条
１４  肉厚部
１５  溝
１６  開口部
１７  延長十字リブの先端部
１８  パウチの辺縁部
１９  条溝
【図１】
0003841888.tif 000002
【図２】
0003841888.tif 000003
【図３】
0003841888.tif 000004